(57)【要約】【課題】シリンダによるコンベア保持機能が低下した場合に生じるコンベアの傾動を抑えることができる移動式コンベア装置を提供することを目的とする。【解決手段】傾動可能なコンベア６を備えた移動式コンベア装置１において、移動可能な装置本体２と、一端を装置本体２に、他端を前記コンベア６に連結した傾動操作用支持腕１６と、前記傾動操作用支持腕１６と装置本体２との間に設けたシリンダ１７と、前記傾動操作用支持腕１６と装置本体２との間に設けた下降移動防止装置１８とを備えた。【選択図】  図１
2006199474.tif 000002
【特許請求の範囲】
【請求項１】
傾動可能なコンベアを備えた移動式コンベア装置において、移動可能な装置本体と、一端を装置本体に、他端を前記コンベアに連結した傾動操作用支持腕と、前記傾動操作用支持腕と装置本体との間に設けたシリンダと、前記傾動操作用支持腕と装置本体との間に設けた下降移動防止装置とを備えたことを特徴とする移動式コンベア装置。
【請求項２】
前記下降移動防止装置は、前記支持腕に揺動可能に設けた案内枠と、この案内枠に案内され、基端をピンで装置本体に連結したラチェット歯部材と、このラチェット歯部材のラチェット歯に噛み合い前記案内枠に設けたラチェット爪と、このラチェット爪を前記ラチェット歯部材に押圧するばねとを備えたことを特徴とする請求項１に記載の移動式コンベア装置。
【請求項３】
前記シリンダの操作時に、前記下降移動防止装置におけるラチェット爪とラチェット歯部材のラチェット歯との噛み合いを解除する解除装置を備えたことを特徴とする請求項２に記載の移動式コンベア装置。
【発明の詳細な説明】
【技術分野】
【０００１】
本発明は、自走あるいは牽引可能な移動式コンベア装置に係わり、更に詳しくはコンベアの放出端高さを変えることができる移動式コンベア装置に関する。
【背景技術】
【０００２】
移動式コンベア装置は、港湾での岸壁から船倉への荷積みや、採石場での採石の移動等に使用されており、装置本体と、この装置本体に設けた無限軌道履体あるいは車輪等の走行体と、装置本体に傾動可能に設けたコンベアと、コンベアを傾動させるシリンダとを備えている（例えば、特許文献１参照。）
【特許文献１】特開平８−３０１４２９号公報。
【発明の開示】
【発明が解決しようとする課題】
【０００３】
上述した移動式コンベア装置は、前述したように港湾での岸壁から船倉への荷積みや、採石場での採石の移動等に使用されるが、この種の荷搬送作業時、シリンダに圧油を供給して、コンベアの荷放出端を放出箇所に対応して上方に移動させて、コンベアを傾斜状態に維持して使用する。
【０００４】
ところが、シリンダへの操作油圧が、例えば圧油供給用配管あるいはシリンダのシール部の破損による液漏れ等の要因で解除されると、シリンダによるコンベアの傾斜保持機能が暫時低下し、一般的にコンベアの荷放出端側が下降する。
【０００５】
その結果、移動式コンベア装置を港湾での岸壁から船倉への荷積に使用している場合には、コンベアの荷放出端側が船倉に衝突し、コンベアの荷放出端側の下面が損傷したり、また、採石場での採石の移動のために、この種の移動式コンベア装置を連接配置して使用した場合、このコンベアの荷放出端側が次段のコンベアの荷搬入側に落下して接触し、荷の搬送が中断する等の憾みがある。
【０００６】
本発明は、上述の事柄に基づいてなされたもので、シリンダによるコンベア保持機能が低下した場合に生じるコンベアの傾動を抑えることができる移動式コンベア装置を提供することを目的とする。
【課題を解決するための手段】
【０００７】
本発明は、上記の目的を達成するために、第１の発明は、傾動可能なコンベアを備えた移動式コンベア装置において、移動可能な装置本体と、一端を装置本体に、他端を前記コンベアに連結した傾動操作用支持腕と、前記傾動操作用支持腕と装置本体との間に設けたシリンダと、前記傾動操作用支持腕と装置本体との間に設けた下降移動防止装置とを備えたことを特徴とする。
【０００８】
また、第２の発明は、第１の発明において、前記下降移動防止装置は、前記支持腕に揺動可能に設けた案内枠と、この案内枠に案内され、基端をピンで装置本体に連結したラチェット歯部材と、このラチェット歯部材のラチェット歯に噛み合い前記案内枠に設けたラチェット爪と、このラチェット爪を前記ラチェット歯部材に押圧するばねとを備えたことを特徴とする。
【０００９】
さらに、第３の発明は、第２の発明において、前記シリンダの操作時に、前記下降移動防止装置におけるラチェット爪とラチェット歯部材のラチェット歯との噛み合いを解除する解除装置を備えたことを特徴とする。
【発明の効果】
【００１０】
本発明によれば、コンベアを傾動操作するシリンダ内の油圧が低下した場合に、コンベアの傾動動作を抑えることができるので、荷搬送の中断を回避しその作業性の向上及び信頼性を高めることができる。
【発明を実施するための最良の形態】
【００１１】
以下、本発明の移動式コンベア装置の実施の形態を図面を用いて説明する。  
図１は本発明の移動式コンベア装置の一実施の形態を示す正面図、図２はその平面図で、この図１は移動式コンベア装置を移動させるために、後述するコンベアを水平に保持した状態を示している。図１及び図２において、移動式コンベア装置１は、装置本体２と、この装置本体２に設けた走行体３と、装置本体２上の一方側（図１の右側）に設けた動力源４，制御部５と、装置本体２上に傾動可能に配設したコンベア６とを備えている。
【００１２】
コンベア６は、枠体７と、この枠体７内の一方端側と他方端側とに設けた案内輪８と、枠体７内の他方側に設けた案内輪９及び駆動輪１０と、案内輪８，９と駆動輪１０とに掛け渡したコンベアベルト１１と、駆動輪１０にベルト連結された駆動モータ１２と、枠体７の一方側に設けたシュート１３と、枠体７の他方側に設けたホッパ１４とを備えている。
【００１３】
コンベア６は、その枠体７と装置本体２の他方側とにそれぞれピン結合した支持腕１５と、枠体７と装置本体２の中央部とにそれぞれピン結合した傾動操作用支持腕１６と、装置本体２の一方側にシリンダ本体の基部を、そのピストンロッドをコンベア６の枠体７にそれぞれピン結合したシリンダ１７とによって、傾動可能に配設されている。
【００１４】
傾動操作用支持腕１６と装置本体２との間には、コンベア６の下降移動を防止する下降移動防止装置１８が設けられている。この下降移動防止装置１８の詳細な構成を図３及び図４を用いて説明する。これらの図において、図１及び図２に示す符号と同符号のものは同一部分である。傾動操作用支持腕１６の側面には、ボルト１９によって内側支持体２０と外側支持体２１とが固定されている。この内側支持体２０と外側支持体２１との内部には、ピン軸２２によって案内枠２３が揺動可能に支持されている。この案内枠２３内には、図１に示すようにその基端（下端）がピン２４によって装置本体２上の揺動可能に連結したラチェット歯部材２５の先端側（上端側）が挿入され案内されている。
【００１５】
図３及び図４に戻り、ラチェット歯部材２５はそのラチェット歯２５Ａが図面上右側に位置し、その背面及び側面が案内枠２３の内面に沿って滑動する。案内枠２３には、ラチェット歯部材２５のラチェット歯２５Ａの噛み合う爪２６Ａを有するラチェット爪２６がピン２７によって揺動可能に設けられている。ラチェット爪２６の背部と案内枠２３との間には、ラチェット爪２６をラチェット歯部材２５側に押圧するばね２８が設けられている。
【００１６】
ラチェット爪２６は通常、ばね２８の押圧力によりその爪２６Ａがラチェット歯部材２５のラチェット歯２５Ａに噛み合い、ラチェット歯部材２５の下方への移動を抑えており、傾動操作用支持腕１６の仰動により案内枠２３が上方に移動すると、ラチェット歯２５Ａとの噛み合いを解除する。
【００１７】
次に、上述した本発明の移動式コンベア装置の一実施の形態の動作を説明する。  
搬送作業を行う場合には、図１に示すようにコンベア６を水平状態に維持し、走行体３を駆動して、移動式コンベア装置１を作業場所に移動し設置する。この状態において、シリンダ１７のピストンロッドの伸長により、傾動操作用支持腕１６を仰動させれば、図５に示すようにコンベア６のホッパ１４側端を下方に、コンベア６の放出端側を上方に位置するようにコンベア６が傾動し、移送姿勢状態に設定することができる。これにより、コンベア６のコンベアベルト１１を駆動すれば、ホッパ１４に投入された搬送物を、コンベア６のシュート１３を介して所望の箇所に放出することができる。
【００１８】
上述した移送姿勢状態において、例えば、シリンダ１７の圧油給排配管が損傷して圧油が漏れた場合、シリンダ１７の保持圧が低下するので、そのピストンロッドはコンベア６の自重により、そのシリンダ本体側に押し込まれようとするが、ラチェット爪２６の爪２６Ａが、ラチェット歯部材２５のラチェット歯２５Ａに噛み合っているので、シリンダ１７におけるピストンロッドの下降を抑えることができる。
【００１９】
その結果、コンベア６におけるシュート１３側端の下降を防止することができるので、コンベア６におけるシュート１３側端の損傷、及び次段のコンベアとの衝突により荷搬送の中断等の不具合を解消することができ、その作業性の向上及び信頼性を高めることができる。
【００２０】
次に、搬送作業が終了し、コンベア６を水平状態に戻すには、油漏れを補修した後、シリンダ１７に圧油を供給して、シリンダ１７のピストンロッドを微小量伸長すれば、ラチェット爪２６の爪２６Ａとラチェット歯部材２５のラチェット歯２５Ａとの噛み合い状態が緩むので、ラチェット爪部材２６の爪２６Ａをラチェット歯部材２５のラチェット歯２５Ａとの噛み合いを外せば、シリンダ１７のピストンロッドの縮小が可能になり、コンベア６を水平状態に戻すことができる。
【００２１】
図６は本発明の移動式コンベア装置の一実施の形態を構成する下降移動防止装置１８の他の例を示すもので、この図６において図４と同符号のものは同一部分である。この実施の形態は、シリンダ１７によって傾動操作用支持腕１６を俯仰動させて、コンベア６を傾斜させ、また水平状態に維持する場合に、下降移動防止装置１８におけるラチェット爪２６の爪２６Ａとラチェット歯部材２５のラチェット歯２５Ａとの噛み合いを解除し、コンベア６の傾動および水平状態への戻し動作を容易にするために、シリンダ１７の操作時、その操作信号にもとづいて作動するモータ２９を案内枠２３に設け、このモータ２９のモータ軸にリール３０を設け、このリール３０に巻き付けたワイヤ３１をラチェット爪２６に連結して構成したものである。
【００２２】
この実施の形態においては、制御部５からのシリンダ１７の操作信号により、モータ２９が駆動し、リール３０がワイヤ３１を巻き取るように作動する。これにより、ラチェット爪２６の爪２６Ａは図面上、時針方向に回転し、ラチェット歯部材２５のラチェット歯２５Ａとの噛み合いを解除するので、傾動操作用支持腕１６によるコンベア６の傾動操作が容易になる。シリンダ１７の操作が終了すると、制御部５からの信号が停止するので、モータ２９によるワイヤ３１の巻き取り動作が終了し、ワイヤ３１はばね２８の戻り力によりリール３０から繰り出される。その結果、ラチェット爪２６の爪２６Ａは図面上、反時針方向に回転し、ラチェット歯部材２５のラチェット歯２５Ａと再度噛み合い状態を維持する。
【００２３】
この実施の形態によれば、シリンダ１７の保持力低下による不具合を解消することができるとともに、傾動操作用支持腕１６によるコンベア６の傾動操作の操作性が向上する。
【００２４】
なお、上述の実施の形態においては、装置本体２上にコンベア６を傾動可能に設けた移動式コンベア装置の場合について説明したが、傾動可能なコンベア６を旋回可能に配設した移動式コンベア装置にも適用することができる。
【００２５】
また、上述の実施の形態においては、傾動操作用支持腕１６と装置本体２との間にシリンダ１７を設けたが、このシリンダ１７のピストンロッドをコンベア６に連結した移動式コンベア装置にも適用することができる。この場合には、下降移動防止装置１８をコンベア６の側面に設ければ良い。
【図面の簡単な説明】
【００２６】
【図１】本発明の移動式コンベア装置の一実施の形態を示す正面図である。
【図２】図１に示す本発明の移動式コンベア装置の一実施の形態を示す平面図である。
【図３】本発明の移動式コンベア装置の一実施の形態に用いられる下降移動防止装置を拡大して示す平面図である。
【図４】図３に示す本発明の移動式コンベア装置の一実施の形態に用いられる下降移動防止装置をIVーIV矢視から見た正面図である。
【図５】図１に示す本発明の移動式コンベア装置の一実施の形態の動作状況を示す正面図である。
【図６】本発明の移動式コンベア装置の一実施の形態に用いられる下降移動防止装置の他の例を示す断面図である。
【符号の説明】
【００２７】
１          移動式コンベア装置
２          装置本体
３          走行体
６          コンベア
１５        支持腕
１６        傾動操作用支持腕
１７        シリンダ
１８        下降移動防止装置
２０        内側支持体
２１        外側支持体
２３        案内枠
２５        ラチェット歯部材
２６        ラチェット爪
２９        モータ
３０        リール
３１        ワイヤ
【図１】
2006199474.tif 000003
【図２】
2006199474.tif 000004
【図３】
2006199474.tif 000005
【図４】
2006199474.tif 000006
【図５】
2006199474.tif 000007
【図６】
2006199474.tif 000008